(57)【要約】  【課題】バイオマスと水から効果的にメタノールを製造する。  【解決手段】  高温でバイオマスを二酸化炭素吸収物質共存下で水蒸気と反応させて、生成する二酸化炭素を二酸化炭素吸収物質に吸収させることにより効果的に水素を生成する水素生成部１、二酸化炭素を吸収した二酸化炭素吸収物質を熱化学的に分解して二酸化炭素ガスを生成する二酸化炭素再生部３と、水素生成部１で生じた水素と水素・二酸化炭素再生部４で生成した二酸化炭素からメタノール合成触媒によりメタノールを合成するメタノール合成部５を備えて、バイオマスと水とから効果的にメタノールを製造する。【選択図】      図１
2005075761.tif 000002
【特許請求の範囲】
【請求項１】
二酸化炭素吸収物質共存下で、０．１ＭＰａから８．１ＭＰａの圧力、かつ５００〜８００℃の範囲で、バイオマスを水蒸気と反応させるバイオマスの熱化学的分解であって、
この熱化学的分解は、前記バイオマスから分解した二酸化炭素を前記二酸化炭素吸収物質に吸収させて水素を生成し、この水素の生成と同時又は並行して前記二酸化炭素を前記二酸化炭素吸収物質に吸収させるものであり、
前記二酸化炭素を吸収した前記二酸化炭素吸収物質を熱化学的に分解して二酸化炭素ガスを生成し、
前記水素と二酸化炭素吸収物質から分解した前記二酸化炭素とからメタノール合成触媒上でメタノールを合成する
ことを特徴とするバイオマスによるメタノール製造方法。
【請求項２】
請求項１に記載のバイオマスによるメタノール製造方法において、
前記熱化学的分解に酸素を加える
ことを特徴とするバイオマスによるメタノール製造方法。
【請求項３】
請求項２に記載のバイオマスによるメタノール製造方法において、
前記酸素濃度が５％以下である
ことを特徴とするバイオマスによるメタノール製造方法。
【請求項４】
請求項１ないし３から選択される１項に記載のバイオマスによるメタノール製造方法において、
バイオマスの炭素［Ｃ］に対する水蒸気のモル比（［Ｈ2Ｏ］／［Ｃ］）が２以上である
ことを特徴とするバイオマスによるメタノール製造方法。
【請求項５】
請求項１ないし４から選択される１項に記載のバイオマスによるメタノール製造方法において、
生成した前記二酸化炭素吸収物質は、カルシウム（Ｃａ）、マグネシウム（Ｍｇ）、ストロンチウム（Ｓｒ）、バリウム（Ｂａ）及び鉄（Ｆｅ）から選択される１以上の酸化物若しくは水酸化物、又は生物体を構成する前記酸化物若しくは前記水酸化物である
ことを特徴とするバイオマスによるメタノール製造方法。  
【請求項６】
請求項１ないし５から選択される１項に記載のバイオマスによるメタノール製造方法において、
二酸化炭素を吸収し炭酸塩を生成した前記二酸化炭素吸収物質の再生を、マイクロ波、又は電気的加熱により加熱して前記炭酸塩を分解して行うことを特徴とするメタノール製造方法。
【請求項７】
請求項１ないし６から選択される１項に記載のバイオマスによるメタノール製造方法において、
前記メタノール合成用触媒として銅を主成分とする触媒を用い、このメタノール合成用触媒上で１５０〜４００℃、０．１ＭＰａから１５．０ＭＰａの圧力の範囲の反応条件で水素と二酸化炭素からメタノールを製造することを特徴とするメタノール製造方法。
【請求項８】
請求項１、２、又は７に記載のバイオマスによるメタノール製造方法において、
前記水素と二酸化炭素のモル比が２〜４であることを特徴とする
バイオマスによるメタノール製造方法。 
【発明の詳細な説明】
【技術分野】
【０００１】
本発明は、バイオマスからメタノールを効率的に製造するバイオマスによるメタノール製造方法に関する。更に詳しくは、加熱した水蒸気とバイオマスを比較的低圧な環境で反応させて、生成する二酸化炭素を二酸化炭素吸収物質に吸収させて効果的に水素を生成し、この水素と吸収された二酸化炭素により、メタノールを合成するバイオマスによるメタノール製造方法に関する。
【背景技術】
【０００２】
バイオマスは、生物由来の有機資源を意味し、陸上の木材や農作物、海の海藻・魚介類、これらを利用した後の有機性廃棄物等も含まれており、直接又は間接的に太陽光による光合成により再生可能な資源である。従来のバイオマスを利用してメタノールを合成する方法としては、特許文献１にバイオマスと天然ガス及び酸化剤を原料として水素・一酸化炭素の混合ガスを生成し、この混合ガスからメタノールを合成する方法及びその製造装置が開示されている。
【０００３】
特許文献２では燃焼酸化剤を用いバイオマスを水素、一酸化炭素等に熱化学的にガス化して、ガス化した水素と一酸化炭素とからメタノールを合成するシステムが開示されている。しかし、このシステムは生成した一酸化炭素を有効に使用することができない、特許文献３にはメタノールの生成効率をあげるために外部から水素を供給する方法が開示されている。
【０００４】
一方、特許文献４にはバイオマスの嫌気性微生物の発酵等によってメタンや二酸化炭素を含む発生ガスを生じさせ、メタンを分離・精製し、水素に分解して二酸化炭素と反応させてメタノールを製造する装置が開示されている。前者はメタノールの生成効率をあげるのに、バイオマスの他に天然ガスや水素を供給する必要があり、後者は、発酵時間がかかるので大量の発酵タンクを必要とする問題があり、その上バイオマスの利用率が低いという問題もある。
【０００５】
現在、人類社会では、化石燃料から脱却して、二酸化炭素問題を解決するための新しいエネルギー源としてバイオマスが期待されている。人類社会が化石燃料から脱却して、バイオマスを有効なエネルギー源として利用するためには、メタノール等の液体燃料をバイマスから効果的に製造方法の開発が望まれている。
【０００６】
【特許文献１】特開平１０−２５９３８４号公報
【特許文献２】特開２００１−２４０８７８号公報
【特許文献３】特開２００２−１９３８５８号公報
【特許文献４】特開平１１−１８８２６２号公報
【発明の開示】
【発明が解決しようとする課題】
【０００７】
以上の理由により、バイオマスをメタノール合成の原料になる水素と一酸化炭素又は二酸化炭素に効果的に変換することが重要である。本発明は上述のような技術背景のもとになされたものであり、下記目的を達成する。
【０００８】
本発明の目的は、二酸化炭素吸収物質の存在下でバイオマスを水蒸気と反応させ、バイオマスの大半の炭素を二酸化炭素として分解し、これを二酸化炭素吸収物質に吸収させることにより効果的に水素を生成し、この水素と二酸化炭素を吸収している二酸化炭素吸収物質を加熱分解して脱離する二酸化炭素とをメタノール合成触媒上で反応させてメタノールを合成して、バイオマスと水から効果的にメタノールを製造する方法及びその製造装置を提供することである。
【０００９】
本発明の他の目的は、バイオマスから発生する二酸化炭素をメタノールに変換して固定することができる、バイオマスによるメタノール製造方法を提供することにある。
【課題を解決するための手段】
【００１０】
本発明は、前記目的を達成するため、次の手段を採る。第１の本発明のバイオマスによるメタノール製造方法は、二酸化炭素吸収物質共存下で、０．１ＭＰａから８．４ＭＰａの圧力、かつ５００〜８００℃の範囲で、バイオマスを水蒸気と反応させるバイオマスの熱化学的分解であって、この熱化学的分解は、前記バイオマスから分解した二酸化炭素を前記二酸化炭素吸収物質に吸収させて水素を生成し、この水素の生成と同時又は並行して前記二酸化炭素を前記二酸化炭素吸収物質に吸収させるものであり、前記二酸化炭素を吸収した前記二酸化炭素吸収物質を熱化学的に分解して二酸化炭素ガスを生成し、前記水素と二酸化炭素吸収物質から分解した前記二酸化炭素とからメタノール合成触媒上でメタノールを合成することを特徴とする。
【００１１】
第２の本発明のバイオマスによるメタノール製造方法は、二酸化炭素吸収物質共存下で、５００〜８００℃、０．１ＭＰａ〜８．４ＭＰａの範囲でバイオマスを水蒸気と反応させて、生成する二酸化炭素を二酸化炭素吸収物質に吸収させて水素を効果的に生成する水素生成部と、生成した二酸化炭素を吸収した二酸化炭素吸収物質を熱化学的に分解して二酸化炭素ガスを生成する二酸化炭素吸収物質再生部と、前記水素生成部で生じた水素と二酸化炭素吸収物質再生部で生成した二酸化炭素とからメタノール合成触媒上でメタノールを合成するメタノール合成部とを備えることを特徴とする。
以下、本発明のバイオマスによるメタノール製造方法を、製造に用いる各原料、水素と二酸化炭素の分離方法別に詳細に説明する。
【００１２】
［バイオマス］
本発明で用いるバイオマスは、穀物、野菜、果物、稲藁、麦藁等の植物性の農産物、農産物の廃棄物、家畜の糞尿、山林から産出する木材等の植物性の林産物、海中から産する海藻等の海産物、それらの廃棄物を意味する。
【００１３】
［二酸化炭素吸収物質］
本発明に用いる二酸化炭素吸収物質としては、Ｃａ、Ｍｇ、Ｓｒ、Ｂａ、Ｆｅ等の酸化物（ＣａＯ，ＭｇＯ，ＳｒＯ、ＢａＯ、ＦｅＯ，Ｆｅ2Ｏ3，Ｆｅ3Ｏ4等）及び同種金属の水酸化物（Ｃａ(ＯＨ)2，Ｍｇ(ＯＨ)2、Ｓｒ(ＯＨ)2，Ｂａ(ＯＨ)2，Ｆｅ(ＯＨ)2，Ｆｅ(ＯＨ)3等）が代表的なものである。これらのものとしては、例えば、石灰石及びドロマイト（苦灰石）等の炭酸カルシウム含有天然好物等がある。また、二酸化炭素吸収剤としては、Ｃａ分等を含み特徴的な多孔性三次元構造を有する牡蠣、ホタテ等の貝殻等の生物体を構成する酸化物、水酸化物として用いるのも二酸化炭素吸収には効果的である。
【００１４】
この他にも、二酸化炭素吸収性能を持つ物質も本発明においては二酸化炭素吸収物質として使用することができる。これらの二酸化炭素吸収物質は、反応後に二酸化炭素吸収物質再生部において、二酸化炭素を吸収して生成した炭酸塩をマイクロ波、外部からの電気的な加熱等の既知の方法により分解して再生することができる。二酸化炭素吸収物質は、再生後に再び水素生成部に戻すことができる。本発明では、二酸化炭素吸収物質の再生時に生成される二酸化炭素を水素生成部で生じた水素と混合し、メタノール合成部においてメタノール合成触媒上でメタノールを合成する。
【００１５】
［第１のバイオマスの分離方法］
本発明の第１のバイオマスの分離方法は、高温高圧の容器である水素生成部に二酸化炭素吸収物質を配置し、５００〜８００℃の範囲、０．１ＭＰａ〜８．４ＭＰａの圧力範囲の条件で、バイオマスを水蒸気と反応させる。この水蒸気の反応は、石炭と超臨界状態の水との反応（例えば、特開２０００−１４３２０２号公報参照）、高温高圧下（８．０ＭＰａ以上、６００℃以上）での石炭と水蒸気の反応（例えば、特開２００１−１９４０２号公報参照）の場合と同様に、次のことがいえる。バイオマスと水蒸気（Ｈ2Ｏ）の反応で形成されるガス中の一酸化炭素、水蒸気、二酸化炭素、水素は、化学平衡にある。この平衡反応は、
【００１６】
ＣＯ＋Ｈ2Ｏ＝ＣＯ2＋Ｈ2        …（１）
の関係で記述される。ここで水素生成部の温度、圧力の条件で二酸化炭素と反応し固体として固定する作用をし、それ自身はこの平衡関係になんら影響を与えない二酸化炭素吸収物質を予め過剰に反応場に共存させれば、ガス中の二酸化炭素の量はこの物質との反応により減少する。この減少した二酸化炭素の量に対し前述の化学平衡関係を維持するためには、必然的に一酸化炭素と水との反応により二酸化炭素と水素を生成する方向に反応が進行する。
【００１７】
生じた二酸化炭素は、二酸化炭素吸収物質と反応し、ガス中から除去される。この結果最終的にはガス中には極少量の一酸化炭素と二酸化炭素および多量の水蒸気と水素が存在する形で化学平衡となる。ガスと固体（二酸化炭素吸収物質等）は冷却することにより、水蒸気は水に戻るため分離することが可能になる。この結果バイオマスから水素を主成分とするガスを製造することが可能になる。今、二酸化炭素吸収物質をＸとすると、下記の全反応（２）により水蒸気を効果的に水素に還元することができる。
Ｃ＋２Ｈ2Ｏ＋Ｘ＝（ＸＣＯ2）＋２Ｈ2 （Ｘ：二酸化炭素吸収剤）…（２）
【００１８】
［第２のバイオマスの分離方法］
本発明の第２のバイオマスの分離方法は、二酸化炭素吸収物質共存下、５００〜８００℃、０．１ＭＰａ〜８．４ＭＰａの範囲で、バイオマスを水蒸気及び５％以下の濃度の酸素と反応させて、生成する二酸化炭素を二酸化炭素吸収物質に吸収させて水蒸気を効果的に還元して水素を生成する。
【００１９】
本発明の第２のバイオマスの分離方法は、５％以下の酸素を水蒸気（又は水）と共に加えて二酸化炭素吸収物質の存在下でバイオマスを水蒸気と反応させると、前述した（１）の反応式によりバイオマスのほとんどの炭素を二酸化炭素として二酸化炭素吸収物質に吸収させることにより効果的に水素を生成することができる。５％以下の酸素を加えることによりタール分の生成を極力抑え、吸収される二酸化炭素量を増し、水素生成が増加させることができる。従って、試料ないし原料を製造装置に装填するに際して、試料ないし、原料の中に含まれる空気等をわざわざ取り除く必要はない。
【００２０】
［バイオマスの効率的分離方法］
前述した２つの本発明において、バイオマスの炭素を効果的に二酸化炭素として吸収物質に吸収させて、効果的に水素を生成するには、水素生成部でのバイオマスの炭素［Ｃ］に対する水蒸気のモル比（［Ｈ2Ｏ］／［Ｃ］）が２以上であるのが望ましい。モル比が２未満では、バイオマスが無駄に使用され、水素は効果的に生成されない。
【００２１】
また、本発明において水素を効果的に生成するには、水素生成部には二酸化炭素吸収物質は、少なくとも生成したすべての二酸化炭素を吸収出来る量を存在させなければならない。しかし、二酸化炭素吸収物質が多すぎると、水素生成の特性は低下する。バイオマスを水蒸気と反応させて効果的に水素を生成するときの二酸化炭素吸収物質とバイオマスの適切なモル比は、二酸化炭素吸収物質、バイオマスの種類、粒径、形状等にもよるが、例えば顆粒状のＣａ系二酸化炭素吸収物質と木質系バイオマスを用いる場合は、Ｃａ量［Ｃａ］のバイマスの炭素量［Ｃ］に対するモル比（［Ｃａ］/［Ｃ］）は５以下が好ましく、より好ましくは１〜４の範囲がよい。
【００２２】
二酸化炭素を効果的に二酸化炭素吸収物質に吸収するために、水素生成部での水素生成温度即ち二酸化炭素吸収温度や水素生成部の圧力は、本発明の水素生成部の温度範囲、圧力範囲内において、二酸化炭素吸収物質の二酸化炭素脱離温度によって変えることが出来る。二酸化炭素を効果的に二酸化炭素吸収物質に吸収させるには、一般に二酸化炭素吸収物質から二酸化炭素が脱離する温度が水素生成温度より高いのが好ましい。二酸化炭素吸収物質から二酸化炭素が脱離する温度が水素生成部での反応温度より低いときは、二酸化炭素を効果的に二酸化炭素吸収物質に吸収するには、水素生成部の圧力を高めるのが好ましい。
【００２３】
従って、水素を効果的に生成するための適切な反応温度や圧力は、二酸化炭素吸収物質、バイオマスの種類、粒径、形状等にもよる。例えば顆粒状のＣａ系二酸化炭素吸収物質と木質系バイオマスを用いる場合は、反応温度は５００〜８００℃が好ましく、より好ましくは６００〜７５０℃の範囲がよい。一方、反応中の圧は、０．１ＭＰａ〜８．４ＭＰａが好ましく、より好ましくは０．１ＭＰａ〜３．０ＭＰａがよく、更に好ましくは０．３ＭＰａ〜２．０ＭＰａであるのがよい。
【００２４】
［メタノールの合成］
前述した第１又は第２のバイオマスの分離方法によって、バイオマスは水素と二酸化炭素に分離された後、次の方法によりメタノールに合成される。メタノール合成触媒上で混合された水素と二酸化炭素により効果的にメタノールに変換するためには、水素と二酸化炭素のモル比が１〜１０に、好ましくは２〜４の範囲に混合するのがよい。また、混合した水素と二酸化炭素から効果的にメタノールを製造するには、酸化銅−酸化亜鉛、酸化銅−酸化クロム−酸化亜鉛、又は酸化銅−酸化亜鉛−アルミナ系の公知技術であるメタノール合成用触媒を用いる（例えば、T. Fujitani,J.Nakamura/Applied Catalysis A:General 191(2000)111-129参照）。そのメタノール合成触媒の温度は、１５０〜４００℃、より好ましくは２００〜３００℃が良い。
【００２５】
また、そのときの圧力は１．０ＭＰａ〜１５．０ＭＰａ、より好ましくは３．０ＭＰａ〜１５．０ＭＰａがよい。メタノールの合成率を向上させるのには高圧下で行うのがよいが、実用上は低圧で触媒が働くものがコスト、安全性等の観点から製造システムを構築するときには好ましい。実用的には接触時間は５００〜１０，０００/hの範囲であるのがよいが、低圧下で反応するときは、接触時間をさらに短くしてもよい。メタノール合成用触媒上では、
【００２６】
ＣＯ2＋３Ｈ2 → ＣＨ3ＯＨ＋Ｈ2Ｏ
【００２７】
の反応が進行するので、メタノール合成触媒上で混合された水素と二酸化炭素により効果的にメタノールに変換するために、水素と二酸化炭素のモル比が１〜１０に、好ましくは２〜４の範囲、より好ましくは３に近づけるようにして混合するのが効果的である。
【００２８】
また、このメタノール製造においては、水素、二酸化炭素と共に少量の残留水蒸気が存在してもメタノール製造効率の低下にはならなかった。むしろある程度の水蒸気の存在は、二酸化炭素と水素との反応によるメタノール生成効率を向上させた。
【発明の効果】
【００２９】
本発明のバイオマスによるメタノール製造方法は、バイオマスと水蒸気の反応において効果的に水素が生成され、この水素を同時に生成する二酸化炭素吸収物質に吸収分離された二酸化炭素と反応させることにより、安価にメタノールを合成することができ、且つ二酸化炭素も固定することができる。また、バイオマスから水素を分離するときに酸素を加えるとより効率的に水素と二酸化炭素を分離することができる。
【発明を実施するための最良の形態】
【００３０】
以下、本発明のバイオマスによる具体的なメタノールの製造方法、及び装置の好適な実施の形態を説明する。図１は、本発明のバイオマスによるメタノール製造方法のフロー図であり、その概要を示すブロック図である。水素生成部１は、第１のバイオマスの分離方法の場合は、前述したバイオマス、二酸化炭素吸収物質、及び水を入れる容器である。第２のバイオマスの分離方法の場合は、バイオマス、二酸化炭素吸収物質、水、及び酸素を入れる容器である。
【００３１】
水素生成部１は、これらを導入して効果的に水素と二酸化炭素を生成するものであり、実際には特殊金属製の反応釜である。水素生成部１内では、水素と同時に生成する二酸化炭素は共存する二酸化炭素吸収物質で吸収される。発生した水素は分離されて、水素生成部１に接続されている水素を貯蔵するタンクである水素供給部２に送られる。水素生成部１から水素供給部２に送られ水素に含まれ残存している共存水、又は蒸気は、フィルター等（図示せず）で除去される。
【００３２】
水素生成部１内の二酸化炭素を吸収して炭酸塩を形成した二酸化炭素吸収物質は、反応後は二酸化炭素吸収物質再生部３に送られる。二酸化炭素吸収物質再生部３には、他の二酸化炭素吸収物質供給部７からも二酸化炭素を吸収した二酸化炭素吸収物質を供給することができる。他の二酸化炭素吸収物質供給部７は、並列して配置された他の水素生成部１等を意味する。
【００３３】
水素供給部２の水素は、水素・二酸化炭素混合部４に送られ、二酸化炭素吸収物質再生部３から供給される二酸化炭素と混合される。二酸化炭素吸収物質再生部３では、電熱線、マイクロ波等により炭酸塩を形成した二酸化炭素吸収物質を加熱して、熱化学的に分解し、二酸化炭素ガスを吐出させて生成し、同時に脱離するものである。生成された二酸化炭素は、それに含まれる水はフィルター等で除去して、水素・二酸化炭素混合部４へ送られ、ここで所定の割合に混合される。
【００３４】
水素・二酸化炭素混合部４で混合された、水素、及び二酸化炭素ガスはブースター装置（図示せず）により所定の圧力に加圧され、メタノール合成部５に送られる。再生された二酸化炭素吸収物質は、再度二酸化炭素吸収物質として水素生成部１に供給することができる。メタノール合成部５では、前述した酸化銅−酸化亜鉛、酸化銅−酸化クロム−酸化亜鉛、又は酸化銅−酸化亜鉛−アルミナ系等のメタノール合成用触媒を備え、水素、二酸化炭素混合部２から供給される混合水素、二酸化炭素ガスを所定の圧力、温度の下で反応させてメタノールを合成する。メタノール合成部５で合成されたメタノールはメタノール凝縮部６を通して、メタノールを凝縮させて水蒸気から分離し、液体のメタノールを得る。
【００３５】
［水素生成部１］
水素生成部１でのバイマスの水蒸気によるガス化では、固定床型炉、流動床炉や浮遊床炉を用いることができる。固定床型ガス化炉では、ある程度の粒径をもったバイオマスをガス化炉内に断続的にあるいは連続的に供給して、原料が静止あるいは上下方向に移動する状態でガス化することができるが、装置的には大量処理には向いていない。微粉化したバイオマスを急速にガス化炉に吹き込み、高温でガス化するときは浮遊床型炉が向いている。流動床炉型ガス化炉は、水等の流体を吹き込み、導入した粒状バイオマス、二酸化炭素吸収物質を流動させながらガス化するから、気体と固体との接触が良好であり、炉内温度が一定である長所があるので大量生産に適していて、装置の大型化も可能であるので、本発明では流動床炉型ガス化炉が好ましい。
［水素供給部２］
水素供給部２で多量の同伴窒素ガス（Ｎ2）が含まれるときは、ＰＳＡ法（Pressure Swing Adsorption）法により水素濃度を高めて二酸化炭素と混合して、昇圧したほうがよい。以下、実験室レベルのステンレス製流通式高圧装置を用いた実施例について述べる。尚、本発明は、これらの実施例に制限されるものではないことは言うまでもない。
【００３６】
［その他］
本実施の形態のメタノール製造方法とその装置は、これらの実施の形態に限定されるものではなく、その本質を逸脱しない範囲で、他の種々の更なる変形例が可能であることは言うまでもない。例えば、本実施の形態で示すバイオマスによるメタノールの製造装置を説明するために示すものであるが、本発明を実施するものである限り原理的に同じであれば他の実施の形態のものを採用することは当然可能である。実際、実用化の段階では、装置の大規模化やそれに伴う形態の変更が必要である。
【実施例１】
【００３７】
以下、本発明の実施例を実験例に換えて説明する。この実施例のものは実験室レベルのステンレス製の流通式高圧装置を水素発生部１として用いた例である。木質系バイオマスの杉材（平均サイズ  ０．１１ｍｍ〜０．２５ｍｍ）、二酸化炭素吸収物質として水酸化カルシウム（Ｃａ（ＯＨ）2）及び水蒸気を、水酸化カルシウムのＣａ量［Ｃａ］に対する杉材の炭素量［Ｃ］のモル比（［Ｃａ］/［Ｃ］）が２、杉材の炭素[Ｃ]に対する水蒸気のモル比（[Ｈ2Ｏ]/［Ｃ］）が４になるようにして連続的に水素生成部１に導入し、６５０℃、１．０ＭＰａで反応させて、水素を生成し、二酸化炭素を水酸化カルシウムに吸収させた。
【００３８】
杉材と水酸化カルシウムは混合して、ホッパーを用い、同伴の窒素ガス（Ｎ2）のもとで２．４ｇ／min（０．８ｇ／min（杉材）、１．６ｇ／min（水酸化カルシウム）の供給速度で供給した。この反応条件で、定常的な水素生成がみられ、水素の生成は、理論収率（投入炭素１モルに対して水素２．０５モル）に対して、６２％であった（以下、「水素変換率」という）。水素生成部１ではガス成分として水素の他には少量のメタン（ＣＨ4）が検出された。水素生成部１で生成された水素は、同伴する窒素ガスにより水素供給部２へ送られ、共存する水は水素供給部２に導入する前に冷却して除去される。
【００３９】
この水素は、水素，二酸化炭素混合部で、二酸化炭素吸収物質再生部３から供給される二酸化炭素とモル比[水素]/[二酸化炭素]が３になるように混合して、ブースターを通り５．１ＭＰａに加圧してから高圧固定床型反応炉からなるメタノール合成部５に導入した。二酸化炭素吸収物質再生部３には二酸化炭素を既に二酸化炭素を吸収した炭酸カルシウムが存在し、二酸化炭素は、炭酸カルシウムを８００℃で再生して同時に生成する水を除去して水素・二酸化炭素混合部４に供給された。
【００４０】
メタノール合成部５では、高圧混合水素、二酸化炭素ガスを２５０℃、空間速度（Ｓ．Ｖ．）５０００／ｈの反応条件にして顆粒状Ｃｕ／ＺｎＯ／Ａｌ2Ｏ3触媒上で反応させメタノールを合成した。このようなメタノール製造反応及び装置により、バイオマスの３２％がメタノールに変換される。勿論、水素，二酸化炭素混合ガスの圧をさらにあげればメタノール変換率の向上はみられる。
【実施例２】
【００４１】
メタノール合成部５により、実施例１の二酸化炭素吸収物質共存下での杉材と水との反応系に、酸素をさらに１％加えてメタノール合成を行った。この反応条件でも、水素生成部では定常的な水素生成がみられ、実施例１に比べて水素変換率は６５％に増加し、メタン（ＣＨ4）の生成は低下し吸収二酸化炭素の増加が見られた。このようなメタノール製造反応及び装置により、２５０℃、空間速度（Ｓ．Ｖ．）５０００／ｈの反応条件にして顆粒状Ｃｕ／ＺｎＯ／Ａｌ2Ｏ3触媒上で反応させメタノールを合成した。この場合、バイオマスの３６％がメタノールに変換される。勿論、この場合も水素，二酸化炭素混合ガスの圧をさらに上げればメタノールへの変換率は向上する。
【図面の簡単な説明】
【００４２】
【図１】図１は、メタノール製造のプロセスを示すフロー図である。
【符号の説明】
【００４３】
１…水素生成部
２…水素供給部
３…二酸化炭素吸収物質再生部
４…水素・二酸化炭素混合部
５…メタノール合成部
６…メタノール凝縮部
７…二酸化炭素吸収物質供給部
【図１】
2005075761.tif 000003